(57)【要約】【課題】パネルを単独で着脱することができる壁パネル固定構造を提供する。【解決手段】  出没ピン１０を用いて支持フレーム３０に壁パネル５０を取り付ける壁パネル固定構造１であって、壁パネル５０は、壁板部５１と当該壁板部５１の裏面側に張り出す固定部５２とを備えており、支持フレーム３０は、出没ピン１０を収容する収容スペース３１を備え、隣り合う壁パネル５０間の目地５に沿うとともに固定部５２に対向して設けられており、収容スペース３１は、目地５に向かって開口しており、出没ピン１０は、ネジ部１１を備え、支持フレーム３０の側面に設けられたネジ孔３２に螺合しており、出没ピン１０の先端部が固定部５２に形成された係止穴５７に挿入することで壁パネル５０が支持フレーム３０に係止されていることを特徴とする。【選択図】図１
2015068152.tif 000002
【特許請求の範囲】
【請求項１】
出没ピンを用いて支持フレームに壁パネルを取り付ける壁パネル固定構造であって、
前記壁パネルは、壁板部と当該壁板部の裏面側に張り出す固定部とを備えており、
前記支持フレームは、前記出没ピンを収容する収容スペースを備え、隣り合う前記壁パネル間の目地に沿うとともに前記固定部に対向して設けられており、
前記収容スペースは、前記目地に向かって開口しており、
前記出没ピンは、ネジ部を備え、前記支持フレームの側面に設けられたネジ孔に螺合しており、
前記出没ピンの先端部が前記固定部に形成された係止穴に挿入することで前記壁パネルが前記支持フレームに係止されている
ことを特徴とする壁パネル固定構造。
【請求項２】
前記出没ピンの頭部にはギヤが設けられており、
前記目地の外側から前記目地を介して、前記ギヤに噛合する歯を備えた回転用治具を前記収容スペース内に挿入して前記出没ピンを回転させることで、前記出没ピンを出没させるように構成されている
ことを特徴とする請求項１に記載の壁パネル固定構造。
【請求項３】
前記ネジ孔は、前記支持フレームとは別途のボス部を備えたピン支持部材に形成されており、
前記ピン支持部材は、前記支持フレームの側面に取り付けられている
ことを特徴とする請求項１または請求項２に記載の壁パネル固定構造。
【請求項４】
前記支持フレームには、水平方向に張り出す支持片がさらに設けられ、
前記壁パネルには、前記支持片に載置される高さ調整機構が前記壁板部の裏面側にさらに設けられ、
前記支持片に接する前記高さ調整機構の当接面は昇降可能に構成されており、
前記出没ピンは、上下方向に延在する前記支持フレームに収容されて、水平方向に出没するように配置されており、
前記係止穴は、上下に長い長孔である
ことを特徴とする請求項１乃至請求項３のいずれか一項に記載の壁パネル固定構造。
【請求項５】
前記高さ調整機構は、上下方向に延在するボルト部材と、当該ボルト部材が螺合するネジ孔部材とを備え、
前記ボルト部材の先端部に前記当接面が設けられている
ことを特徴とする請求項４に記載の壁パネル固定構造。
【発明の詳細な説明】
【技術分野】
【０００１】
本発明は、壁パネル固定構造に関する。
【背景技術】
【０００２】
従来、壁などのパネルを固定する構造としては、構造躯体側に設けられた支持片に、パネルに設けられた係止片を係止する構成が一般的であった。支持片と係止片のいずれか一方には上下方向に突出する凸部が設けられ、他方には凸部が入り込む凹部または孔が設けられている。パネルを上方から吊って降下させることで、凸部が凹部または孔に入り込み、支持片に係止片が係止されることで、高さ方向に支持されるとともに、パネルの出し入れ方向（パネル直交方向）固定されるようになっていた（例えば、特許文献１参照）。
【先行技術文献】
【特許文献】
【０００３】
【特許文献１】特開２００６−１０４７３５号公報
【発明の概要】
【発明が解決しようとする課題】
【０００４】
前記のような壁パネル固定構造では、パネルの係止片を支持片に係止する際に、パネルを設置面に押し込んだ位置で、上下移動させる必要がある。この上下移動の距離は、上下方向に隣り合うパネル間の幅よりも大きい。したがって、下方に位置するパネルを、例えば交換のために取り外す場合、上方に位置するパネルから順次取り外す必要があり、多くの手間と時間を要する問題があった。
【０００５】
そこで、本発明は、前記の問題を解決するためになされたものであり、パネルを単独で着脱することができる壁パネル固定構造を提供することを課題とする。
【課題を解決するための手段】
【０００６】
前記課題を解決するための請求項１に係る発明は、出没ピンを用いて支持フレームに壁パネルを取り付ける壁パネルの固定構造であって、前記壁パネルは、壁板部と当該壁板部の裏面側に張り出す固定部とを備えており、前記支持フレームは、前記出没ピンを収容する収容スペースを備え、隣り合う前記壁パネル間の目地に沿うとともに前記固定部に対向して設けられており、前記収容スペースは、前記目地に向かって開口しており、前記出没ピンは、ネジ部を備え、前記支持フレームの側面に設けられたネジ孔に螺合しており、前記出没ピンの先端部が前記固定部に形成された係止穴に挿入することで前記壁パネルが前記支持フレームに係止されていることを特徴とする壁パネル固定構造である。
【０００７】
支持フレームは、柱本体、あるいは柱や下地壁に取り付けられた棒状部材またはブラケットなどからなる。前記のような構成によれば、支持フレームに収容された出没ピンの出没によって壁パネルを係止するように構成されているので、他の壁パネルをずらすことなく、壁パネルの係止を解除することができる。したがって、下方の壁パネルであっても、単独で着脱することができる。また、収容スペースは目地に向かって開口しているので、壁パネルの表面側から目地を介して、出没ピンを回転させて出没させることができる。
【０００８】
請求項２に係る発明は、前記出没ピンの頭部にはギヤが設けられており、前記目地の外側から前記目地を介して、前記ギヤに噛合する歯を備えた回転用治具を前記収容スペース内に挿入して前記出没ピンを回転させることで、前記出没ピンを出没させるように構成されていることを特徴とする。このような構成によれば、目地の幅が狭い場合であっても、ギヤに噛合する歯を備えた板状の治具を目地に挿通させて収容スペース内に挿入すれば、出没ピンを回転させることができる。
【０００９】
請求項３に係る発明は、前記ネジ孔が、前記支持フレームとは別途のボス部を備えたピン支持部材に形成されており、前記ピン支持部材は、前記支持フレームの側面に取り付けられていることを特徴とする。このような構成によれば、長尺部材である支持フレームのネジ孔の形成が容易になる。
【００１０】
請求項４に係る発明は、前記支持フレームには、水平方向に張り出す支持片がさらに設けられ、前記壁パネルには、前記支持片に載置される高さ調整機構が前記壁板部の裏面側にさらに設けられ、前記支持片に接する前記高さ調整機構の当接面は昇降可能に構成されており、前記出没ピンは、上下方向に延在する前記支持フレームに収容されて、水平方向に出没するように配置されており、前記係止穴は、上下に長い長孔であることを特徴とする。このような構成によれば、壁パネルの高さ位置を調整できる。さらに、係止穴を長孔としたことによって、高さ調整代を確保することができる。
【００１１】
請求項５に係る発明は、前記高さ調整機構が、上下方向に延在するボルト部材と、当該ボルト部材が螺合するネジ孔部材とを備え、前記ボルト部材の先端部に前記当接面が設けられていることを特徴とする。このような構成によれば、ボルト部材を回転するだけで、容易に高さ調整を行うことができる。
【発明の効果】
【００１２】
本発明に係る壁パネル固定構造によれば、パネルを単独で着脱することができる。
【図面の簡単な説明】
【００１３】
【図１】本発明の実施形態に係る壁パネル固定構造の要部を示した水平方向断面図である。
【図２】本発明の実施形態に係る壁パネル固定構造の要部を示した斜視図である。
【図３】本発明の実施形態に係る壁パネル固定構造を壁の内側から見た側面図である。
【図４】図３のＡ−Ａ線断面図である。
【図５】本発明の実施形態に係る壁パネル固定構造を示した側面図である。
【図６】突出ピンを示した図であって、（ａ）は軸方向に沿って見た側面図、（ｂ）は軸方向の直交方向から見た側面図である。
【図７】ピン支持部材を示した図であって、（ａ）は軸方向に沿って見た側面図、（ｂ）は軸方向の直交方向から見た側面図である。
【図８】下地壁面と支持フレームとの固定構造を示した平面図である。
【図９】支持フレームと支持片を示した平面図である。
【図１０】壁パネルを取り外す際の壁パネルの上端部を示した図であって、壁パネルを持ち上げた状態を示した断面図である。
【発明を実施するための形態】
【００１４】
本発明の実施形態について図面を参照して詳細に説明する。図１および図２に示すように、本実施形態に係る壁パネル固定構造１は、ネジ部１１を備えた出没ピン１０を用いて、支持フレーム３０に内壁用の壁パネル５０を取り付ける構造である。
【００１５】
図１に示すように、支持フレーム３０は、下地壁２に固定された柱部材にてなる。支持フレーム３０は、リップみぞ型鋼にて構成されており、内部空間が出没ピン１０の収容スペース３１となっている。支持フレーム３０は、リップ間の開口部が隣り合う壁パネル５０，５０間の目地５に対向しており、収容スペース３１が目地５に向かって開口している。
【００１６】
支持フレーム３０は、図８に示すように、下地壁２にＬ字状のブラケット３を介して固定されている。ブラケット３は、支持フレーム３０を側面両側から挟むように、固定部ごとに一対ずつ設けられている。ブラケット３の一方の面は、下地壁２に当接してボルト固定されている。ブラケット３の他方の面は、支持フレーム３０の側面に当接し、逆側の側面に当接したブラケット３の他方の面とともに、通しボルトにて支持フレーム３０に固定されている。
【００１７】
図１に示すように、支持フレーム３０の側面には、出没ピン１０が螺合するネジ孔３２が設けられている。ネジ孔３２は、支持フレーム３０とは別途のボス部３３ａを備えたピン支持部材３４に形成されている。ネジ孔３２の軸芯は、壁パネル５０の表面と平行で且つ水平に延在している。ネジ孔３２は、その軸芯の延長線が壁パネル５０のフレーム部材５２の側面に交差するように形成されている。ネジ孔３２は、隣り合う壁パネル５０，５０の両方に出没ピン１０を係止させるために、支持フレーム３０の両側の側面にそれぞれ形成されている。両側面に隣り合って設けられた一対のネジ孔３２，３２は、上下方向にオフセットして配置されており、螺合する出没ピン１０，１０同士が干渉しないようになっている。
【００１８】
図１および図７に示すように、ピン支持部材３４は、ボス部３３ａと、ボス部３３ａと一体形成された鍔部３３ｂを備えている。なお、図７の（ｂ）は、図７の（ｃ）のＣ−Ｃ線断面図である。ネジ孔３２は、ボス部３３ａと鍔部３３ｂを貫通して形成されている（図７の（ｂ）参照）。鍔部３３ｂには、複数のボルト孔３５が等角度ピッチで同一円周線上に形成されている。鍔部３３ｂは、一部が平面状に切り欠かれた略円の外周形状を呈している。平面状の切欠部３６は、支持フレーム３０のリップ側端面と同一平面状に位置するように配置されている。切欠部３６が形成された位置には、切欠部３６に向かうにしたがって、鍔部３３ｂの厚さが薄くなるように傾斜面３７が形成されている。
【００１９】
図１に示すように、ピン支持部材３４は、支持フレーム３０の側面に形成された貫通孔３０ａに挿通されて取り付けられている。具体的には、貫通孔３０ａに、ボス部３３ａが支持フレーム３０の外側から挿入され、鍔部３３ｂが支持フレーム３０の外側面に当接している。そして、鍔部３３ｂのボルト孔３５に挿入されたボルトの先端部が、支持フレーム３０の側面に螺合することで、ピン支持部材３４が支持フレーム３０に固定されている。ピン支持部材３４の取付時においては、鍔部３３ｂの切欠部３６を支持フレーム３０のリップ側端面に沿うように設置することで、傾斜面３７が壁パネル５０の表面側に対向して位置するように位置決めされる。
【００２０】
なお、本実施形態の支持フレーム３０は、リップみぞ型鋼にて構成されているが、これに限定されるものではなく、例えばみぞ型鋼やＨ型鋼のように、内部に収容スペースを備えるとともに、ネジ孔を形成可能な側面を有するものであれば他のものであってもよい。また、本実施形態の支持フレーム３０は、上下方向に延在する柱部材にてなるが、水平方向に延在する部材であってもよい。この場合、支持フレームは、上下に隣り合う壁パネル５０，５０間の目地（横目地）に沿って配置される。さらに、本実施形態の支持フレーム３０は、連続した棒状部材であるが、出没ピン１０が設けられる位置ごとに設けられる単体部材であってもよい。
【００２１】
壁パネル５０は、壁板部５１と、この壁板部５１の裏面側に張り出すフレーム部材（固定部）５２とを備えている。壁板部５１は、壁パネル５０の表面材を構成するものであり、本実施形態では表面処理されたステンレス板にてなる。なお、壁板部５１は、ステンレス板に限定されるものではなく、他の部材の板材であってもよいし、表面に仕上げ材を別途貼設したものであってもよい。
【００２２】
図５に示すように、フレーム部材５２は、壁板部５１の裏面の周縁部に沿って枠状に敷設されている。フレーム部材５２は、壁板部５１を補強して平面状に保持するとともに、壁板部５１を支持フレーム３０に連結する部材の役目を果たす。フレーム部材５２は、壁板部５１の側端縁から一定距離内側にオフセットして配置されており、壁板部５１の側端縁部の裏側に支持フレーム３０の配置スペースが確保されている（図１参照）。枠状のフレーム部材５２の内側には、十字状に配置された補強フレーム５３が敷設されている。補強フレーム５３は、壁板部５１の大きさおよび強度に応じて適宜設けられる。なお、壁板部５１を支持フレーム３０に連結する部材としては、フレーム部材５２のような枠状でなくてもよく、出没ピンの設置位置に応じて裏面側に張り出した部分的な単体部材であってもよい。単体部材の場合は、補強部材としてのフレーム部材とは別体で設ければよい。
【００２３】
図１に示すように、フレーム部材５２は、溝型のステンレス材にてなり、背面部が壁板部５１の裏面に当接している。フレーム部材５２は、壁板部５１の裏面に溶接固定されたボルトを介して固定されている。上下方向に延在するフレーム部材５２は、支持フレーム３０の側面に対向するように配置されている。上下方向に延在するフレーム部材５２の側壁のうち外周側に位置する側壁５４には、貫通孔５５が形成されている。貫通孔５５は、出没ピン１０の先端部の外径寸法より大きい円形状を呈している。
【００２４】
側壁５４の外側には、位置調整プレート５６が設けられている。位置調整プレート５６には、係止穴５７が形成されている。係止穴５７は、貫通孔５５と重なるように配置される。係止穴５７は、上下方向に延在する長孔にてなる。係止穴５７は、出没ピン１０の先端部外径寸法と同等の幅（水平方向の開口幅）寸法を備えている。位置調整プレート５６は、出没ピン１０の取付公差を吸収する部材である。位置調整プレート５６は、現場で実際に支持フレーム３０に取り付けられた出没ピン１０の位置に応じて、側壁５４への取付位置を調整する。また、位置調整プレート５６は、側壁５４を補強する役目も果たす。
【００２５】
貫通孔５５および係止穴５７には、出没ピン１０の先端部が挿入され、係止穴５７に先端部が係止される。なお、本実施形態では、係止穴５７を有する位置調整プレート５６を側壁５４に取り付けているが、これに限定されるものではない。位置調整プレート５６を設けずに、フレーム部材５２の貫通孔の幅寸法を出没ピン１０の先端部外径寸法として係止穴とし、この貫通孔に出没ピン１０を直接係止するようにしてもよい。
【００２６】
貫通孔５５および係止穴５７は、出没ピン１０の設置位置に相当する部分で、壁パネル５０の上端部および下端部に二か所ずつ、その間に所定間隔をあけて二か所の合計六か所に形成されている（図５の三角印を参照）。
【００２７】
図１に示すように、出没ピン１０は、ネジ部１１を備えたボルト部材にてなり、その頭部が収容スペース３１内に収容されている。出没ピン１０のネジ部（軸部）１１は、収容スペース３１内部から、ネジ部１１を通過して、壁パネル５０の表面と平行で且つ水平に延在している。ネジ部１１の先端部は、支持フレーム３０の外部に突出して、フレーム部材５２に対向している。壁パネル５０の係止時（出没ピン１０の突出時）には、ネジ部１１の先端部は、貫通孔５５および係止穴５７に挿通して、係止穴５７に係止される（図４の上側の出没ピン１０を参照）。一方、係止解除時（出没ピン１０の没入時）には、ネジ部１１の先端部は、貫通孔５５および係止穴５７から引き出される（図４の下側の出没ピン１０を参照）。
【００２８】
図６にも示すように。出没ピン１０の頭部には、ギヤ１２が設けられている。ギヤ１２は、出没ピン１０の頭部の円周方向に沿って凹凸が形成されるように刻設されている。ギヤ１２の山部と谷部は、軸芯方向に平行に形成されている。なお、ギヤ１２は、出没ピン１０の頭部に筒状のギヤ部材を固定して構成するようにしてもよい。ギヤ１２の軸方向長さは、出没距離より長い。ギヤ１２は、収容スペース３１内において、出没ピン１０の突出時および没入時のいずれのときも、目地５の正面部分（壁板部５１の表面側から見て、目地５の奥に見える部分）に位置するようになっている。
【００２９】
本実施形態の壁パネル固定構造１においては、図３、図４および図９に示すように、支持フレーム３０に、水平方向に張り出す支持片６０がさらに設けられ、壁パネル５０には、支持片６０に載置される高さ調整機構７０が壁板部５１の裏面側にさらに設けられている。なお、図９は、図３のＢ−Ｂ線断面図である。
【００３０】
支持片６０は、壁パネル５０の上端部に相当する高さ位置で、支持フレーム３０の背面部の外側に固定されている。支持片６０は、固定板部６１と載置板部６２と補強板部６３とを備えてなる。支持片６０は、ステンレス製の板材を折曲げ加工して形成されており、固定板部６１と載置板部６２と補強板部６３は一体化されている。
【００３１】
固定板部６１は、支持フレーム３０の背面部にビス止めされる板部である。固定板部６１は、横長の長方形形状を呈しており、支持フレーム３０を中心として、両側のフレーム部材５２に向かって広がっている。なお、固定板部６１が固定される位置の支持フレーム３０の内周部には、断面コ字状の補強プレート４０が周設されている。
【００３２】
載置板部６２は、固定板部６１の両端部の上端から壁パネル５０側に屈曲して形成されている。載置板部６２は、水平方向に延在しており、その先端部は、フレーム部材５２の内側に入り込んでいる。載置板部６２の上面が高さ調整機構７０の載置面となる。載置板部６２の先端部の上面には、プレート６４が敷設されている。プレート６４は、高さ調整機構７０が載置される位置よりも先端側に設けられており、高さ調整機構７０が先端側にずれるのを防止する堰の役目を果たす。
【００３３】
補強板部６３は、固定板部６１の下端から下地壁２側に屈曲して形成されている。補強板部６３は、固定板部６１を補強するリブの役目を果たす。
【００３４】
高さ調整機構７０は、上下方向に延在するボルト部材７１と、当該ボルト部材７１が螺合するネジ孔部材７２とを備えている。
【００３５】
ボルト部材７１は、ボルト頭部を上側として配置される。ボルト部材７１は、回転することでネジ孔部材７２に対して昇降する。ボルト部材７１の軸部先端（下端）が載置板部６２への当接面となる。
【００３６】
ネジ孔部材７２は、壁パネル５０の上端部で水平方向に延在するフレーム部材５２の端部で、上下方向に延在するフレーム部材５２の上端との接続部分に設けられている。この接続部分には、断面Ｌ字状のアングル材からなる補強部材７３が設けられている。補強部材７３の水平面は、水平方向に延在するフレーム部材５２の下板部５８の下面に当接している。補強部材７３の垂直面は、上下方向に延在するフレーム部材５２の内周側の側壁５９の内側面に当接している。この垂直面は、側壁５９の外側面に当接するみぞ型鋼５９ａとともに、側壁５９にボルト固定されている。
【００３７】
ネジ孔部材７２は、下板部５８に設けられたナット部材にてなる。ナット部材は、下板部５８を挟むように上下両面に設けられている。上側のナット部材は、下板部５８の上面に溶接されている。下側のナット部材は、補強部材７３の水平面を介して下板部５８に設けられており、補強部材７３の水平面の下面に溶接されている。
【００３８】
以下に、壁パネル固定構造１によって固定された壁パネル５０を取り外す手順を説明しながら、本発明の作用効果を説明する。壁パネル５０を支持フレーム３０から取り外すに際しては、壁パネル５０を表面側から吸盤などの吸着装置（図示せず）で吸着して保持した状態で、目地５からギヤ１２に噛合する歯が形成された回転用治具を挿入し、ギヤ１２を回転させる。回転用治具は、例えば、把持部に薄板状のラック（直線歯車）を設けたものを用いる。そして、ラックを目地５から挿入して、ギヤ１２と噛合させて押し引き動作を行う。なお、回転用治具は、ラック状のものに限定されるものではなく、円板状の歯車を用いて、その円板の一部を目地５から挿入してギヤ１２と噛合させてもよい。
【００３９】
ギヤ１２を回転させると出没ピン１０が支持フレーム３０側に没入し、出没ピン１０の先端部が貫通孔５５および係止穴５７から引き抜かれる。これによって、壁パネル５０の出し入れ方向（下地壁２に近接離反する方向）の係止が解除される。ここで、壁パネル５０は、高さ調整機構７０が支持片６０に載置されて支持されているだけの状態である。
【００４０】
次に、吸着装置ごと壁パネル５０を僅かに持ち上げる。持ち上げ寸法は、図１０に示すように、上方の壁パネル５０との間の横目地の幅寸法より小さく、プレート６４の厚さ寸法より大きい。すると、ボルト部材７１の軸部先端が載置板部６２の上面から、プレート６４の上面よりも上方に浮き上がる。そして、この高さのままで、壁パネル５０を引き出すと、ボルト部材７１が引っ掛かることなく、壁パネル５０を引き出すことができる。
【００４１】
このように、本実施形態によれば、他の壁パネルをずらすことなく、壁パネル５０の係止を解除して支持フレーム３０から取り外すことができる。したがって、下方の壁パネル５０であっても、単独で着脱することができるので、壁パネル５０のメンテナンスや交換の作業手間および時間を大幅に低減できる。さらに、本実施形態によれば、壁パネル５０の設置位置を上下左右に調整可能であるので、壁パネル５０の表面側から目地５の通りを調整することができる。
【００４２】
また、収容スペース３１は目地５に向かって開口しているので、壁パネル５０の表面側から目地５を介して、出没ピン１０を回転させて出没させることができる。さらに、出没ピン１０の頭部にギヤ１２を設けたことによって、薄板状の回転用治具を目地５から収容スペース内に挿入すれば、目地５の幅が狭い（例えば２〜３ｍｍ程度）場合であっても、出没ピン１０の出没作業を容易に行うことができる。
【００４３】
さらに、本実施形態では、ネジ孔３２は、支持フレーム３０とは別途のボス部３３ａを備えたピン支持部材３４に形成されており、ピン支持部材３４は、支持フレーム３０の側面に取り付けられているので、長尺部材である支持フレーム３０に直接ネジ孔を形成しなくて済む。したがって、ネジ孔３２の形成が容易になる。
【００４４】
また、ピン支持部材３４には、傾斜面３７が形成されて、壁パネル５０のフレーム部材５２の挿入空間が、外側に向かって広がるように構成されているので、壁パネル５０を装着する際に、フレーム部材５２が、ピン支持部材３４に干渉し難く、所定位置への押し込み作業を容易に行うことができる。
【００４５】
また、支持フレーム３０に支持片６０が設けられ、壁パネル５０に高さ調整機構７０が設けられているので、容易に壁パネル５０の高さ位置を調整できる。係止穴５７を上下方向に長い長孔としたことによって、高さ調整代を確保することができる。さらに、本実施形態では、係止穴５７は、位置調整プレート５６に形成されているので、壁パネル５０の出し入れ方向の調整代も確保することができる。
【００４６】
高さ調整機構７０は、ボルト部材７１とネジ孔部材７２とを備えて構成されているので、ボルト部材７１を回転するだけで、容易に高さ調整を行うことができる。
【００４７】
以上、本発明を実施するための形態について説明したが、本発明は前記実施の形態に限定されず、本発明の趣旨を逸脱しない範囲で適宜設計変更が可能である。例えば、前記実施形態では、高さ調整機構７０を支持片６０上に載置することで、壁パネル５０の荷重を支持しているが、高さ調整機構７０は設けずに、出没ピン１０のみで、壁パネル５０の荷重を支持するようにしてもよい。
【符号の説明】
【００４８】
１      壁パネル固定構造
１０    出没ピン
１１    ネジ部
１２    ギヤ
３０    支持フレーム
３１    収容スペース
３２    ネジ部
３３ａ  ボス部
５０    壁パネル
５１    壁板部
５２    フレーム部材（固定部）
５７    係止穴
６０    支持片
７０    高さ調整機構
７１    ボルト部材
【図１】
2015068152.tif 000003
【図２】
2015068152.tif 000004
【図３】
2015068152.tif 000005
【図４】
2015068152.tif 000006
【図５】
2015068152.tif 000007
【図６】
2015068152.tif 000008
【図７】
2015068152.tif 000009
【図８】
2015068152.tif 000010
【図９】
2015068152.tif 000011
【図１０】
2015068152.tif 000012